(57)【要約】【課題】  比較的安価な構成で、自由度の高い照度調整ができるスタンド型照明器具の提供。【解決手段】  照明負荷２２の装着されるヘッド部２と、照明負荷２２を調光点灯させる点灯回路３１が内装されて、机又は壁等に固定させる固定手段の設けられたベース部３と、ベース部３とヘッド部２とを可動軸５を介して接続するアーム部４と、を備え、可動軸５内に、回転角度に対応した制御信号を送出する調光操作部５１を組み込み、点灯回路３１が同制御信号に基づき照明負荷２２を調光点灯するようになしたものである。【選択図】図１
2006128035.tif 000002
【特許請求の範囲】
【請求項１】
照明負荷の装着されるヘッド部と、前記照明負荷を調光点灯させる点灯回路が内装されて、机又は壁等に固定させる固定手段の設けられたベース部と、同ベース部と前記ヘッド部とを可動軸を介して接続するアーム部と、を備えてなるスタンド型照明器具において、前記可動軸内に、回転角度に対応した制御信号を送出する調光操作部を組み込み、前記点灯回路が同制御信号に基づき前記照明負荷を調光点灯するようになしたことを特徴とするスタンド型照明器具。
【請求項２】
前記アーム部は、前記可動軸を前記ベース部との結合部を第１の可動軸、前記ヘッド部との結合部を第２の可動軸として有し、第１の可動軸にその回転角度に対応した第１の制御信号を送出する第１の調光操作部を組み込み、第２の可動軸にその回転角度に対応した第２の制御信号を送出する第２の調光操作部を組み込み、前記点灯回路が第２の制御信号制御信号と同第２の制御信号に基づき調光点灯する請求項１記載のスタンド型照明器具。
【請求項３】
前記点灯回路を、前記制御信号に基づき前記照明負荷による照度が略一定となるよう調光制御するようになした請求項１又は請求項２記載のスタンド型照明器具。
【発明の詳細な説明】
【技術分野】
【０００１】
本発明は、照明負荷を調光点灯させるスタンド型照明器具に関するものである。
【背景技術】
【０００２】
従来から、スタンド型照明器具として、図２３に示すものがある。このスタンド型照明器具１０１は、照明負荷１２２を装着したヘッド部１０２と、机上面にスタンド型照明器具１０１を固定するベース部１０３と、ヘッド部１０２とベース部１０３とを接続するアーム部１０４とで構成されており、それぞれの接続部が可動軸１０５、１０６となっていることにより、ヘッド部１０２を自在に動かすことが可能となっているものがある。
【０００３】
このような構成のスタンド型照明器具１０１では、スタンド型照明器具１０１の使用者（以降は使用者と呼称する）はヘッド部１０２を手で動かすことによって、作業の邪魔にならない位置に移動して使用することができる。
【０００４】
また、ヘッド部１０２を自在に動かすことが可能であるスタンド型照明器具１０１の利点として、使用者がヘッド部１０２を下方に引き下げて、ヘッド部１０２と机上面との高さ（距離）を縮めることにより、意図的に机上面照度を上げることができる。この場合の机上面からヘッド部１０２までの高さと机上面照度（単位面積当たりに放射する光の光束）の関係は、図２４に示すようになる。この操作により、机上面を通常よりも明るくすることができる。
【０００５】
なお、照度とは、単位面積当たりに放射する光の光束であり、光源（照明負荷１２２）によって照らされる面（机上面）に入る光の量である。
【０００６】
また、光束とは、ある領域に単位時間当たりに放射する光のエネルギーである。
【０００７】
ところで、最近、生活様式の多様化に伴い、ヘッド部の高さを変えて照明領域を変化させても、照明負荷による照明面の照度の変わらない使い勝手の向上したスタンド型照明器具の要望が高まっている。
【０００８】
この要求を満たしたスタンド型照明器具として、実開昭５８−１４７１９２号公報に記載されているものがある。このスタンド型照明器具２０１は、図２５に示すように、受光面上に設けられた光電素子２１０と、この光電素子に強い光が当ったとき、負荷として接続されたランプ２２０の光度を減じ、弱い光が当ったときその光度を増加する調光回路を備えたものである。すなわち、調光回路が光源である負荷の高さＨによって光度を変えるものである。
【０００９】
なお、光度とは、単位立体角当たりに放射する光の光束であり、光源（ランプ２２０）によって照らされる面（光電素子２１０）に入る光の量である。
【００１０】
しかしながら、上記構成のスタンド型照明器具２０１による場合、ランプ２２２の光度を検知する光電素子２１０と、この光電素子２１０からの信号を制御するための制御回路と、を設ける必要がある。この光センサはそれ自体も比較的高価であり、また、この制御回路が必要なために点灯回路も比較的複雑なものとなり、コストが上昇することが懸念される。
【特許文献１】実開昭５８−１４７１９２号公報
【発明の開示】
【発明が解決しようとする課題】
【００１１】
本願発明は、上記背景技術に鑑みて発明されたものであり、その課題は、比較的安価な構成で、自由度の高い照度調整ができるスタンド型照明器具を提供することにある。
【課題を解決するための手段】
【００１２】
上記課題を解決するために、本願発明は、照明負荷の装着されるヘッド部と、前記照明負荷を調光点灯させる点灯回路が内装されて、机又は壁等に固定させる固定手段の設けられたベース部と、同ベース部と前記ヘッド部とを可動軸を介して接続するアーム部と、を備えてなるスタンド型照明器具において、前記可動軸内に、回転角度に対応した制御信号を送出する調光操作部を組み込み、前記点灯回路が同制御信号に基づき前記照明負荷を調光点灯するようなるものである。
【００１３】
また、前記アーム部は、前記可動軸を前記ベース部との結合部を第１の可動軸、前記ヘッド部との結合部を第２の可動軸として有し、第１の可動軸にその回転角度に対応した第１の制御信号を送出する第１の調光操作部を組み込み、第２の可動軸にその回転角度に対応した第２の制御信号を送出する第１の調光操作部を組み込み、前記点灯回路が第２の制御信号制御信号と同第２の制御信号に基づき調光点灯するものが好ましい。
【００１４】
また、前記点灯回路を、前記制御信号に基づき前記照明負荷による照度が略一定となるよう調光制御するものが好ましい。
【発明の効果】
【００１５】
本願発明のスタンド型照明器具によれば、可動軸に回転角度に対応した制御信号を送出する調光操作部を組み込み、点灯回路が同制御信号に基づき照明負荷を調光点灯するようなしているので、比較的安価な構成になり、自由度の高い照度調整ができる。
【００１６】
また、アーム部は、前記可動軸を前記ベース部との結合部を第１の可動軸、前記ヘッド部との結合部を第２の可動軸として有し、第１の可動軸にその回転角度に対応した第１の制御信号を送出する第１の調光操作部を組み込み、第２の可動軸にその回転角度に対応した第２の制御信号を送出する第１の調光操作部を組み込み、前記点灯回路が第２の制御信号制御信号と同第２の制御信号に基づき調光点灯するので、より一層自由度の高い照度調整ができる。
【発明を実施するための最良の形態】
【００１７】
本願の第１の実施形態であるスタンド型照明器具１を図１から図７に基づいて説明する。図１は第１の実施形態に係るスタンド型照明器具１の斜視図、図２は同上の点灯回路３１の回路図、図３は同上の動作周波数と光出力との関係を示すグラフ、図４は可変抵抗器７の抵抗値とアーム部角度θとの関係を示すグラフ、図５は周波数制御ピン入力電圧Ｖｏとアーム部角度θとの関係を示すグラフ、図６は光出力とアーム部角度θとの関係を示すグラフ、図７は机上面照度とアーム部角度θとの関係を示すグラフである。この照明負荷２２の装着されるヘッド部２と、照明負荷２２を調光点灯させる点灯回路３１が内装されて、机又は壁等に固定させる固定手段の設けられたベース部３と、ベース部３とヘッド部２とを可動軸５を介して接続するアーム部４と、を備え、可動軸５内に、回転角度に対応した制御信号を送出する調光操作部５１を組み込み、点灯回路３１が同制御信号に基づき照明負荷２２を調光点灯するようになしたものである。また、点灯回路３１を、前記制御信号に基づき照明負荷２２による照度が略一定となるよう調光制御するようになしたものである。なお、本実施形態のスタンド型照明器具１は、机上面に設置する場合について説明する。
【００１８】
このスタンド型照明器具１は、照明負荷２２（以降ランプ２２と呼称する）がランプソケット２３に装着されたヘッド部２と、点灯回路３１やメインスイッチ３２が配置されているベース部３と、ヘッド部２とベース部３を接続するアーム部４の３つの部分に分かれており、ベース部３とアーム部４の結合部は第１の可動軸５であり、ヘッド部２とアーム部４の結合部は第２の可動軸６である。
【００１９】
可動軸５には、調光操作部を５１が、その内部に回転式の可変抵抗器７として埋め込まれている。この可変抵抗器７は、可動軸５の回転に応じて、すなわち、アーム部４と机上面とがなす角（以降、アーム部角度θと呼称）に応じて、抵抗値が変化するものである。
【００２０】
また、点灯回路３１は、図２に示すように、点灯回路部３１ａと、周波数制御ピン３１ｃを設けた制御回路部３１ｂと、を有し、ランプ２２を高周波点灯させるものである。ランプ２２を高周波点灯させる動作周波数ｆとランプ２２の光出力との関係は、図３のようになる。すなわち、動作周波数ｆが低いほど光出力は高く、動作周波数ｆが高くなると光出力は低くなる。
【００２１】
また、周波数制御ピン３１ｃは、この周波数制御ピン３１ｃに入力される周波数制御ピン入力電圧Ｖｏと動作周波数ｆとが反比例するように、制御回路部３１ｂ内で設定されており、ｆｘＶｏ＝ｋ（ｋは一定）である。したがって、周波数制御ピン３１ｃに入力される周波数制御ピン電圧Ｖｏと光出力とは比例する関係にある。なお、ｆｘは任意の周波数である。
【００２２】
可変抵抗器７は、アーム部角度θがθ１からθ２に変化した場合、図４に示すように、抵抗値が変化するよう特性及び接続方向を選択して点灯回路３１に接続してある。
【００２３】
こうすることにより、アーム部角度θと周波数制御ピン入力電圧Ｖｏとの関係は、図５に示す関係となり、アーム部角度θとランプ２２から出力される光出力との関係は図６のようになる。
【００２４】
このように構成された、スタンド型照明器具１は、アーム部角度θを変化させた場合、実際の机上面照度は、図６と背景技術で説明した図２４のグラフを重ね合わせたように変化する。すなわち、図７のグラフに示すようにアーム部角度にかかわらず略一定となり、机上面照度をヘッド部２の高さにかかわらず、略一定にすることができる。
【００２５】
したがって、スタンド型照明器具１は、自由度の高い照度調整をすることができる。
【００２６】
また、スタンド型照明器具１は、可変抵抗器７を可動軸５に調光操作部を５１として組み込めばよく、点灯回路３１の構成も簡単になるので、安価な構成で、机上面照度はヘッド部２の高さにかかわらず略一定にすることができる。例えば、スタンド型照明器具１の使用者（以降は使用者と呼称する）が何らかの作業中にヘッド部２を移動させたとしても、机上面照度はほとんど変化せず、快適な作業環境を得ることができる。
【００２７】
また、ランプ２２を高周波点灯させて使用することで、チラツキが少なくエネルギー消費効率がよくなる。
【００２８】
なお、点灯回路３１は、蛍光灯等の照明負荷を高周波点灯させているが、例えば、白熱電球等の照明負荷を点灯させる点灯回路でも良い。
【００２９】
本願の第２の実施形態であるスタンド型照明器具１を図８から図１２に基づいて説明する。図８は第２の実施形態に係るスタンド型照明器具１の点灯回路３１の回路図、図９は周波数制御ピン入力電圧Ｖｏとアーム部角度θとの関係を示すグラフ、図１０は光出力とアーム部角度θとの関係を示すグラフ、図１１は机上面照度とアーム部角度θとの関係を示すグラフである。この実施形態のスタンド型照明器具１は、前述した第１の実施形態とは点灯回路３１の可変抵抗器７の接続位置を変更したものであり、これら以外の構成要素は第１の実施形態と同様であるので説明は省略する。すなわち、このスタンド型照明器具１は、図１に示したものと同じであり、アーム部角度θは、図１に示す角度を使用する。また、可変抵抗器７の特性及び接続方向は、アーム部角度θと可変抵抗器７の抵抗値との関係は図４と同じになる。
【００３０】
可変抵抗器７は、図８に示すように接続されているので、アーム部角度θと周波数制御ピン入力電圧Ｖｏとの関係は図９に示すような関係となり、アーム部角度θとランプから出力される光出力との関係は図１０のようになる。
【００３１】
すなわち、アーム部角度θを変化させた場合、実際にスタンド型照明器具１を机上に設置した場合の机上面照度は、図１０と図２４のグラフを重ね合わせたように変化し、図１１に示すようになる。このグラフを前述した背景技術で説明した図２４のグラフと比較すると、アーム部角度θが小さければ小さいほど光出力はより高く、アーム部角度θが大きければ大きいほど光出力はより低くなる。
【００３２】
このことは、背景技術で説明したスタンド型照明器具と比較して、ヘッド部の高さが低ければ低いほど机上面照度はより高くなる。
【００３３】
このように構成されたスタンド型照明器具１は、例えば、使用者が机上面で精密作業等を行う場合に、ヘッド部２を大幅に低くしなくても机上面照度を上げることができるので、視界を妨げることなく容易に十分な照度を得ることができ、非常に作業がしやすくなる。
【００３４】
したがって、視界を妨げることなく容易に十分な照度を得ることができ、自由度の高い照度調整ができる。
【００３５】
本願の第３の実施形態であるスタンド型照明器具１を図１２、図１３に基づいて説明する。図１２は第３の実施形態に係るスタンド型照明器具１の斜視図、図１３は同上の点灯回路３１の回路図である。この実施形態のスタンド型照明器具１は、第２の実施形態とは、モード切り替えスイッチ８を設け、可変抵抗器７を抵抗Ｒ１の一方の端子とＲ２の一方の端子とに接続したものであり、これら以外の構成要素は第２の実施形態と同様であるので説明は省略する。
【００３６】
点灯回路３１は、図１３に示すような位置に可変抵抗器７及びモード切り替えスイッチ８を挿入している。
【００３７】
また、アーム部角度θと周波数制御ピン入力電圧Ｖｏとの関係は、モード切り替えスイッチ８を切り替えることにより、第１の実施形態で説明した周波数制御ピン入力電圧Ｖｏとアーム部角度θとの関係を示すグラフ又は第２の実施形態で説明した周波数制御ピン入力電圧Ｖｏとアーム部角度θとの関係を示すグラフの関係のいずれかを選択できるようになる。
【００３８】
このように構成されたスタンド型照明器具１は、使用者がモード切り替えスイッチ８を図１３に示すように接続すれば、第２の実施形態で説明したように、アーム部角度θを変化させた場合、実際にスタンド型照明器具１を机上に設置した場合の机上面照度は、図１０と図２４のグラフを重ね合わせたように変化し、図１１に示すようになる。このグラフを前述した背景技術で説明した図２４のグラフと比較すると、アーム部角度θが小さければ小さいほど光出力はより高く、アーム部角度θが大きければ大きいほど光出力はより低くなる。
【００３９】
また、使用者がモード切り替えスイッチ８を図１３に示す位置と反対側に接続すれば、第１の実施形態で説明したように、アーム部角度θを変化させた場合の実際の机上面照度は、図６と背景技術で説明した図２４のグラフを重ね合わせたように変化する。すなわち、図７のグラフに示すようにアーム部角度にかかわらず略一定となり、机上面照度をヘッド部２の高さにかかわらず略一定にすることができる。
【００４０】
したがって、モード切り替えスイッチ８を任意に選択し切り替えることにより、スタンド型照明器具１の照度調整の自由度が更に高くなる。
【００４１】
本願の第４の実施形態であるスタンド型照明器具１を図１４から図２２に基づいて説明する。図１４は第４の実施形態に係るスタンド型照明器具１の斜視図、図１５は同上のヘッド部２とアーム部４とを略平行にした場合の斜視図、図１６は同上の点灯回路３１の回路図、図１７は周波数制御ピン入力電圧Ｖｏとアーム部角度θ（α１、α２時）との関係を示すグラフ、図１８は周波数制御ピン入力電圧Ｖｏとアーム部角度θ（α３時）との関係を示すグラフ、図１９は可変抵抗器７ａの抵抗値とアーム部角度θとの関係を示すグラフ、図２０は可変抵抗器７ｂの抵抗値とアーム部角度θとの関係を示すグラフ、図２１は机上面照度とアーム部角度θ（α１、α２時）との関係を示すグラフ、図２２は光出力とアーム部角度θ（α３時）との関係を示すグラフである。
【００４２】
この実施形態のスタンド型照明器具１は、前述した第３の実施形態とは、ベース部３との結合部を第１の可動軸５、ヘッド部２との結合部を第２の可動軸６として有し、第１の可動軸５にその回転角度に対応した第１の制御信号を送出する第１の調光操作部５１として有し、第２の可動軸６にその回転角度に対応した第２の制御信号を送出する第２の調光操作部６を組み込み、点灯回路３１が第２の制御信号制御信号と同第２の制御信号に基づき調光点灯するものである。また、ヘッド部２とアーム部４の結合部にも可変抵抗器７ｂが埋め込まれており、また、ヘッド部２にスリット部９を設け、そして、図１６に示すように、可変抵抗器７ｂを点灯回路３１に追加し、また、ヘッド部２にスリット部９を設けたものであり、これら以外の構成要素は第３の実施形態と同様であるので説明は省略する。
【００４３】
ここで、図１４に示すように、アーム部角度をθ１、ヘッド部２とアーム部４とがなす角（以下ヘッド部角度と呼称する）をα１とし、使用者がヘッド部２を引き下げて机上面との距離を縮めた状態でのアーム部角度をβ２、ヘッド部角度をα２とする。また、図１５に示すように、ヘッド部２をアーム部４と略平行になるように回転させた状態のアーム部角度をθ３、ヘッド部角度をα３とする。このとき、α３≒０である。
【００４４】
また、可変抵抗器７ａと可変抵抗器７ｂは、図１６に示すように、それぞれ、図の位置に挿入されており、可変抵抗器７ｂの抵抗値は、可変抵抗器７ａの抵抗値と比較して十分大きいものを使用している。すなわち、ＶＲＡ＜＜ＶＲＢである。アーム部角度の変化に対して可変抵抗器７ａの抵抗値は、図１９に示すように変化し、そしてヘッド部２の角度の変化に対して可変抵抗器７ｂの抵抗値は図２０に示すように変化し、それぞれ特性及び接続方向を選択して接続している。
【００４５】
このように構成されたスタンド型照明器具１は、ヘッド部角度が比較的大きい状態、すなわち、図１４の状態の状態においては、アーム部角度θの変化に対して周波数制御ピン入力電圧Ｖｏは図１７のように変化し、ヘッド部角度θがほぼ０°である。そして、図１５の状態においては、アーム部角度θにかかわらず、図１８のようにＶｏは非常に低い値で略一定となる。
【００４６】
したがって、ヘッド部角度が比較的大きい図１４の状態、すなわち、通常の使用状態においては、ヘッド部２の高さが低ければ低いほど光出力はより高くなり、図２１に示すように、机上面照度も高くなり精密作業等のしやすい十分な照度を得ることができる。
【００４７】
また、スタンド型照明器具１は、ヘッド部２を収納した状態、すなわち図１５のようにアーム部４と平行にした状態では、アーム部角度にかかわらず光出力は図２２のように最小レベルで略一定となる。
【００４８】
したがって、スタンド型照明器具１は、ヘッド部２に設けられたスリット部９から弱い光が出力され、間接照明としての利用や常夜灯としての利用が可能な用途範囲の広い照明器具を提供することができる。
【００４９】
なお、この状態において最小レベルの出力を得る代わりに、制御回路部３１ｂによりスタンド型照明器具１を消灯させることも可能であり、この場合は、ヘッド２１収納時には自動的に消灯するスタンド型照明器具１を提供することができる。
【図面の簡単な説明】
【００５０】
【図１】本願発明の第１の実施形態に係るスタンド型照明器具の斜視図である。
【図２】同上の点灯回路の回路図である。
【図３】同上の動作周波数と光出力との関係を示すグラフである。
【図４】同上の可変抵抗器の抵抗値とアーム部角度θとの関係を示すグラフである。
【図５】同上の周波数制御ピン入力電圧Ｖｏとアーム部角度θとの関係を示すグラフである。
【図６】同上の光出力とアーム部角度θとの関係を示すグラフである。
【図７】同上の机上面照度とアーム部角度θとの関係を示すグラフである。
【図８】本願発明の第２の実施形態に係るスタンド型照明器具の点灯回路の回路図である。
【図９】同上の周波数制御ピン入力電圧Ｖｏとアーム部角度θとの関係を示すグラフである。
【図１０】同上の光出力とアーム部角度θとの関係を示すグラフである。
【図１１】同上の机上面照度とアーム部角度θとの関係を示すグラフである。
【図１２】本願発明の第３の実施形態に係るスタンド型照明器具の斜視図である。
【図１３】同上の点灯回路の回路図である。
【図１４】本願発明の第４の実施形態に係るスタンド型照明器具の斜視図である。
【図１５】同上のヘッド部２とアーム部４とを略平行にした場合の斜視図である。
【図１６】同上の点灯回路の回路図である。
【図１７】同上の周波数制御ピン入力電圧Ｖｏとアーム部角度θ（α１、α２時）との関係を示すグラフである。
【図１８】同上の周波数制御ピン入力電圧Ｖｏとアーム部角度θ（α３時）との関係を示すグラフである。
【図１９】同上の可変抵抗器７ａの抵抗値とアーム部角度θとの関係を示すグラフである。
【図２０】同上の可変抵抗器７ｂの抵抗値とアーム部角度θとの関係を示すグラフである。
【図２１】同上の机上面照度とアーム部角度θ（α１、α２時）との関係を示すグラフである。
【図２２】同上の光出力とアーム部角度θ（α３時）との関係を示すグラフである。
【図２３】背景技術で説明したスタンド型照明器具の斜視図である。
【図２４】同上の光出力とアーム部角度θとの関係を示すグラフである。
【図２５】実開昭５８−１４７１９２号公報記載のスタンド型照明器具の斜視図である。
【符号の説明】
【００５１】
１    スタンド型照明器具
２    ヘッド部
２２  ランプ（照明負荷）
３    ベース部
３１  点灯回路
４    アーム部
５    第１の可動軸
５１  第１の調光操作部
６    第２の可動軸
６１  第２の調光操作部
９    スリット部
【図１】
2006128035.tif 000003
【図２】
2006128035.tif 000004
【図３】
2006128035.tif 000005
【図４】
2006128035.tif 000006
【図５】
2006128035.tif 000007
【図６】
2006128035.tif 000008
【図７】
2006128035.tif 000009
【図８】
2006128035.tif 000010
【図９】
2006128035.tif 000011
【図１０】
2006128035.tif 000012
【図１１】
2006128035.tif 000013
【図１２】
2006128035.tif 000014
【図１３】
2006128035.tif 000015
【図１４】
2006128035.tif 000016
【図１５】
2006128035.tif 000017
【図１６】
2006128035.tif 000018
【図１７】
2006128035.tif 000019
【図１８】
2006128035.tif 000020
【図１９】
2006128035.tif 000021
【図２０】
2006128035.tif 000022
【図２１】
2006128035.tif 000023
【図２２】
2006128035.tif 000024
【図２３】
2006128035.tif 000025
【図２４】
2006128035.tif 000026
【図２５】
2006128035.tif 000027